(57)【要約】【課題】  スライドマウントに保持されているスライドフィルムの画像情報を透過光に基づいて取得するために、スライドマウントを透過光の光軸上の所定位置に支持するマウントキャリアにおいて、表裏間でスライドマウントのプレートの厚さが異なるスライドマウントを処理する場合や、フィルムが強いカール傾向を持つためにフィルムの実質的な画像面がスライドマウントの厚さ方向の中心と一致しない場合でも、フィルムの画像をオートフォーカス機構を持たないスキャナのＣＣＤに合焦させることができ、画像を正確に取得可能なマウントキャリアを提供する。【解決手段】  マウントキャリア本体２２にスライドマウント４０を装着するためのマウント台２４が支持されており、マウント台２４のキャリア本体に対する位置を光軸に沿って調節可能な変位操作機構３４が設けられているマウントキャリア２０とした。【選択図】        図３
2005070291.tif 000002
【特許請求の範囲】
【請求項１】
スライドマウントに保持されているスライドフィルムの画像情報を透過光に基づいて取得するために、前記スライドマウントを前記透過光の光軸上の所定位置に支持するマウントキャリアであって、
前記マウントキャリアのキャリア本体に前記スライドマウントを装着するためのマウント台が支持されており、前記マウント台の前記キャリア本体に対する位置を前記光軸に沿って調節可能な変位操作機構が設けられているマウントキャリア。
【請求項２】
前記変位操作機構は、前記マウント台に螺合された送りネジと、前記送りネジを回動操作するダイヤルとを備え、前記スライドマウントの複数の厚さに対応する表記が前記ダイヤルの周に沿って設けられている請求項１に記載のマウントキャリア。
【発明の詳細な説明】
【技術分野】
【０００１】
本発明は、スライドマウントに保持されているスライドフィルムの画像情報を透過光に基づいて取得するために、スライドマウントを透過光の光軸上の所定位置に支持するマウントキャリアに関するものである。
【背景技術】
【０００２】
この種のマウントキャリアとしては、本発明に関連する先行技術として下記に示す特許文献１がある。この特許文献１に記されたマウントキャリア（フィルムホルダ）では、垂直姿勢のスライドマウントを両側から挟み込むための左右一対の保持部材がフィルムの面に沿って移動可能に設けられており、これらの保持部材は各保持部材の背面に配置されたバネ部材によって互いに接近する方向に付勢されており、且つ、各保持部材の内面には平面視でＶ字状の保持溝が形成されている。特許文献１には、スライドマウントを両保持部材の間に挿入すると、スライドマウントは互いに向き合うＶ字状の保持溝の合計４つの斜面に対して均等に当接するため、つねに保持溝の中心に位置する旨が記されており、また、厚さの異なるスライドマウントを装填した場合にも、各スライドマウントはいずれも保持溝に均等に当接することによって、常に保持溝の中心に案内されることが記されている。すなわち、ここでは、使用するスライドマウントの厚さが種々異なっても、スライドマウントに保持されているフィルムの位置は一定に保たれ、その結果、オートフォーカス機構を備えていないスキャナでもフィルムの画像をＣＣＤに合焦させることが可能となることが企図されている。
【特許文献１】特開平１０−３２７３４６号公報（段落番号００１５〜００１７、図３）
【発明の開示】
【発明が解決しようとする課題】
【０００３】
しかし、特許文献１のマウントキャリアでは、スライドマウントの厚さ方向の中心にフィルムが保持されていることが前提条件となるので、フィルムを挟んでいる表側と裏側とでスライドマウントのプレートの厚さが異なるような特殊な形態のスライドマウントを処理する場合や、スライドマウントのプレートの厚さは表裏間で同一でもフィルムの中心部位が表裏の一方向に膨らむカール傾向を持つためにフィルムの実質的な画像面がスライドマウントの厚さ方向の中心と一致していない等の状況では、フィルムの画像をスキャナのＣＣＤに正確に合焦させることができず、画像を正確に取得できないという問題があった。
【０００４】
従って、本発明の目的は、上に例示した従来技術によるマウントキャリアの持つ前述した欠点に鑑み、表裏間でスライドマウントのプレートの厚さが異なるスライドマウントを処理する場合や、フィルムが強いカール傾向を持つためにフィルムの実質的な画像面がスライドマウントの厚さ方向の中心と一致しない等の状況でも、フィルムの画像をオートフォーカス機構を持たないスキャナのＣＣＤに（或いはオートフォーカス機構を用いずに）合焦させることができ、画像を正確に取得可能なマウントキャリアを提供することにある。
【課題を解決するための手段】
【０００５】
本発明の第１の特徴は、スライドマウントに保持されているスライドフィルムの画像情報を透過光に基づいて取得するために、前記スライドマウントを前記透過光の光軸上の所定位置に支持するマウントキャリアであって、
前記マウントキャリアのキャリア本体に前記スライドマウントを装着するためのマウント台が支持されており、前記マウント台の前記キャリア本体に対する位置を前記光軸に沿って調節可能な変位操作機構が設けられていることにある。
従って、本発明の第１の特徴構成によるマウントキャリアでは、マウント台に装着されているスライドマウントの位置を変位操作機構によって光軸に沿って調節できるので、表裏間でスライドマウントのプレートの厚さが異なる、或いは、フィルムが強いカール傾向を持つ、等の理由に基づいてフィルムの実質的な画像面がスライドマウントの厚さ方向の中心と一致しない状況でも、フィルムの画像をオートフォーカス機構を持たないスキャナの（或いはオートフォーカス機構を用いずに）ＣＣＤに合焦させることができ、画像を正確に取得可能となる。
【０００６】
本発明の第２の特徴は、前記変位操作機構は、前記マウント台に螺合された送りネジと、前記送りネジを回動操作するダイヤルとを備え、前記スライドマウントの複数の厚さに対応する表記が前記ダイヤルの周に沿って設けられていることにある。
従って、本発明の第２の特徴構成によるマウントキャリアでは、ダイヤルを手動で時計回り又は反時計回りに回動操作することで簡単にスライドマウントの位置を光軸に沿って調節できる。また、スライドマウントの厚さが判っている場合には、ダイヤルの周に沿って設けられている表記のうちでその厚さに該当する表記の部位をキャリア本体側に固定された基準点に合わせることで、フィルムの画像をＣＣＤに概ね合焦させることができる。また、フィルムが強いカール傾向を持つ場合には、ＣＣＤを介して得られる画像を表示するためにスキャナに接続されたモニタ等を観察しながら、該当する表記の部位を中心にして更にいずれかの方向にダイヤルを回動操作することで正確に合焦させることができる。
【０００７】
本発明によるその他の特徴および利点は、以下図面を用いた実施形態の説明により明らかになるであろう。
【発明を実施するための最良の形態】
【０００８】
本発明によるマウントキャリアの最良の実施形態の一つについて、図面を参照しながら以下に解説する。
（画像入力ステーション１の構成）
図１は、種々の記録媒体から画像データを取り込むための画像入力ステーション１を示す。画像入力ステーション１には、現像済みの写真フィルムに担持されているアナログ画像データを透過光に基づいて取得するフィルムスキャナ部２、フィルムスキャナ部２によって取得された画像情報を処理するための制御装置７、このようにして処理された画像情報を視覚化するためのモニタ８などが設けられている。制御装置７には、データを処理するためのコンピュータ（不図示）、及び、現像済みの写真フィルム以外のデジタル記録メディアから画像情報を取得するためのメディアリーダ部７ａが備えられている。このデジタル記録メディアとしては、例えば、ＣＤ−ＲＯＭ、ＣＤ−Ｒ、ＭＯ、コンパクトフラッシュ（商標）、スマートメディア（商標）その他が含まれる。画像入力ステーション１によって得られた画像データは、前記コンピュータによって処理された後、例えば、画像入力ステーション１に隣接配置された写真プリント装置（不図示）などによって写真プリントとして出力することができる。
【０００９】
（フィルムスキャナ部２の構成）
フィルムスキャナ部２には、光源部３、複数のタイプのフィルムキャリアを装着可能なフィルムキャリア装着部４、光源部３から発されフィルムキャリア内の写真フィルムを透過した透過光を受けるラインＣＣＤ６、及び、ラインＣＣＤ６に結像する画像の倍率を写真フィルムのサイズに応じて変更するズームレンズユニット５などが備えられている。
フィルムキャリア装着部４には、フィルムが搬送されるレーンを切り換えることによって１３５フィルムとＩＸ２４０（ＡＰＳ）フィルムのいずれも支持可能な１３５ＡＰＳ兼用オートフィルムキャリア（不図示）、或いは、（６ｃｍ×６ｃｍ、６ｃｍ×７ｃｍ、６ｃｍ×９ｃｍなどの）種々のフォーマットで撮影された１２０（２２０）フィルム、及び、紙やプラスチック製のマウントに保持されたスライドフィルム等を含む種々のフィルムを選択的に支持可能なマルチマスクキャリア１０を装着することができる。
【００１０】
（マルチマスクキャリア１０の構成）
図２（イ）に示すように、マルチマスクキャリア１０は、フィルムキャリア装着部４に装着されるキャリア本体１２と、キャリア本体１２上を左右に一定速度で移動する移動テーブル１８とを備えている。
キャリア本体１２には、左右に延びた軸芯回りで回転可能な螺軸１３と、螺軸１３を回転駆動するためのステッピングモータ１４と、螺軸１３とステッピングモータ１４とを同期回転させるためのタイミングベルト１５が設けられている。また、図２（ロ）に示すように、キャリア本体１２の左右の中央より右寄りには、ホームポジションに位置する移動テーブル１８に支持された写真フィルムをＬＥＤ光源からなるバックライトで照射するフィルムビュワー１６が設けられている。さらに、キャリア本体１２の左右の中央より左寄りには、透過光をズームレンズユニット５並びにラインＣＣＤ６へ到達させるための細長い光透過用スリット１２ａが形成されている。
【００１１】
他方、移動テーブル１８には、螺軸１３と常に螺合したナット部１８ａが備えられている。そこで、螺軸１３をステッピングモータ１４によって定速回転させることによって、移動テーブル１８を一定の速度で左右に移動させることができる。
更に、移動テーブル１８には、図３に示すように、移動テーブル１８に支持される写真フィルムの最大サイズの画像駒（約６ｃｍ×約９ｃｍ）を包囲可能な矩形窓状の開口フレーム部１８ｂと、後述するマウントキャリアを磁力で吸着して移動テーブル１８上に固定するためのマグネット１９が設けられている。
マルチマスクキャリア１０の移動テーブル１８には、１２０（２２０）フィルムを支持するための１２０フィルムキャリア（不図示）、及び、スライドマウントを支持するためのマウントキャリア２０（本発明によるマウントキャリア）等、複数の種類のフィルムキャリアを載置することができる。
【００１２】
（マウントキャリア２０の構成）
図３と図４に示すように、マウントキャリア２０は、図３の一点鎖線が表す要領でマルチマスクキャリア１０の移動テーブル１８に装着されるマウントキャリア本体２２と、スライドマウント４０を装着するためのマウント台２４とを有する。マウント台２４はマウントキャリア本体２２に対して上下に移動可能に支持されている。
図４に示すように、マウントキャリア本体２２の中央付近には矩形窓状の開口部２２ａが形成されており、マウントキャリア本体２２の裏面には移動テーブル１８のマグネット１９によって吸着される強磁性金属片２３が固定されている。
他方、マウント台２４は、全体として概ね板状の部材であり、樹脂または金属によって一体的に形成されたマウント台本体２５と、マウント台本体２５の左右に取り付けられた支持体２７，２８とを有する。
【００１３】
マウント台本体２５は、平面視で手前側が開放されたコ字状を呈するフランジ部２５ａを有し、このフランジ部２５ａの内方には、スライドマウント４０を手前側から奥に向かって水平に挿入できる溝部２５ｂが一体形成されている。溝部２５ｂの上面は、受け入れたスライドマウント４０を支持する平面状のマウント支持面を構成しており、このマウント支持面の中央付近には矩形窓状の開口部２５ｃが形成されている。フランジ部２５ａと溝部２５ｂとは、高さが約３ｍｍ程度の垂直壁面２５ｄによって一体的に連結されており、この垂直壁面２５ｄは、挿入されたスライドマウント４０の平面視に関する角度姿勢や前後左右の位置を規制する役割を果たしている。また、フランジ部２５ａの奥側の辺からは、スライドマウント４０を前記マウント支持面に対して弾性的に押し付け付勢する一対のクリップ２６が突出形成されている。
【００１４】
支持体２７，２８は、フランジ部２５ａの右側の上面に固定された第１支持体２７と、フランジ部２５ａの左側の上面に固定された第２支持体２８とを有する。第１支持体２７には垂直な軸芯を有する雌ネジ部２７ａが貫通形成されており、第２支持体２８には垂直な軸芯を有し内面が平滑な案内孔２８ａが貫通形成されている。
マウントキャリア本体２２の右辺には、マウント台２４の第１支持体２７を上下方向に変位操作可能に支持する第１ブラケット３０が設けられている。また、マウントキャリア本体２２の左辺には、マウント台２４の第２支持体２８を上下方向に案内する第２ブラケット３１が設けられている。第１ブラケット３０と第２ブラケット３１はいずれも合成樹脂で形成されておりマウントキャリア本体２２にビス止めされている。
図４と図５に示すように、第１ブラケット３０は、マウントキャリア本体２２から立設された一対の脚部３０ａと、一対の脚部３０ａの上端の間に水平に延びたフランジ部３０ｂとからなる。フランジ部３０ｂの中央付近の下面とマウントキャリア本体２２との間には、マウント台２４の第１支持体２７に形成された雌ネジ部２７ａと螺合した送りネジ３３が、垂直な軸芯Ｘ１回りで回動自在に支持されている。送りネジ３３の一箇所（フランジ部３０ｂの下面と第１支持体２７の間に相当する位置）には、円盤状の操作ダイヤル３４が一体回転するように固着されている。従って、操作ダイヤル３４によって送りネジ３３を時計方向或いは反時計方向に回動操作すれば、これに伴って、図５に両頭の矢印で示すように、送りネジ３３と雌ネジ部２７ａによって螺合したマウント台２４がマウントキャリア本体２２に対して上下に移動する構成となっている。
【００１５】
図６に示すように、操作ダイヤル３４の上面には多数の数値（表記の一例）が記されている。これらの数値は、操作ダイヤル３４の外周に沿って１．０から３．２まで０．２刻みで等間隔に記されており、各数値はマウント台２４に装着されるスライドマウント４０の厚さ（単位はｍｍ）に対応している。すなわち、市中には最も薄い１．０ｍｍのものから最も厚い３．２ｍｍのものまで、種々の厚さのスライドマウントが存在しており、上記の各数値はこれらの各厚さに対応している。また、フランジ部３０ｂの一部には、操作ダイヤル３４の数値の一つを選択的に視認できる表示窓３５が基準点として形成されている。
他方、第２ブラケット３１は、マウントキャリア本体２２から立設された一つの脚部３１ａと、脚部３１ａの上端からマウントキャリア本体２２の中央付近に向かって水平に延びたフランジ部３１ｂとからなる。フランジ部３１ｂの中央付近の下面とマウントキャリア本体２２との間には、垂直な軸芯Ｘ２に沿って延び、第２支持体２８の案内孔２８ａに挿通された案内軸３７が支持されている。マウント台２４の第２支持体２８と、第２支持体２８の案内孔２８ａに挿通された案内軸３７とは、操作ダイヤル３４の回動操作に基づいて上下に移動するマウント台２４の左端部を上下方向に案内し、マウント台２４自身が送りネジ３３の回りで回転することを防止する案内機構を構成している。
【００１６】
そこで、或るスライドマウント４０をスキャニングする際には、先ず、フィルムビュワー１６を用いてスライドフィルム４１の表裏を確認しながら、スライドマウント４０をマウント台２４に装着し、次に、マウント台２４に装着されたスライドマウント４０の厚さが判っている場合には、その厚さに該当する数値が表示窓３５の中央に見えるように操作ダイヤル３４を回動操作すれば、送りネジ３３の回転に伴ってマウント台２４の高さが調節され、基本的にスライドフィルム４１の画像がラインＣＣＤ６上に正確に焦点を結ぶように構成されている。但し、これは飽くまでスライドフィルム４１がスライドマウント４０の厚さ方向の中心に位置する場合であり、もしも、表裏間でスライドマウントのプレートの厚さが異なるスライドマウントを処理する場合や、スライドマウント内のフィルムが強いカール傾向を持つためにフィルムの実質的な画像面がスライドマウントの厚さ方向の中心と一致しない場合には、ラインＣＣＤ６を介して得られる画像をモニタ４で観察しながら、該当する表記の部位を中心にして更にいずれかの方向に操作ダイヤル３４を回動操作することで正確に合焦させることができる。尚、画像をモニタ４に表示するためには、スライドフィルム４１が光透過用スリット１２ａ上を走査されるように移動テーブル１８をステッピングモータ１４と螺軸１３によって移動させる必要がある。
【００１７】
従って、マウント台２４の第１支持体２７と螺合した送りネジ３３、送りネジ３３を回動操作するための操作ダイヤル３４、並びに、基準点として設けられた表示窓３５は、マウント台２４のマウントキャリア本体２２に対する位置を光軸に沿って調節可能な変位操作機構を構成している。
前記変位操作機構によってマウント台２４のマウントキャリア本体２２に対する位置が調節された後は、あらためてスライドフィルム４１の全領域が光透過用スリット１２ａ上を走査されるように移動テーブル１８をステッピングモータ１４と螺軸１３によって移動させることで、ラインＣＣＤ６によるスキャニングを実施する。
【００１８】
〔別実施形態〕
＜１＞上記の実施形態では、送りネジ３３とこれを回動操作するための操作ダイヤル３４を有するブラケット３０をマウントキャリア本体２２の右辺のみに設けているが、このような送りネジと操作ダイヤルとを有するブラケットを右辺と左辺の双方に設けることも可能である。このように構成すれば、マウント台２４並びに装着されたスライドマウント４０を光軸に対して直交する姿勢により正確に保持することが可能になる。また、スライドフィルム４１がスライドマウントに対して傾斜した湾曲傾向を有する場合でも、左右の操作ダイヤル３４の調節でマウント台２４を故意に傾斜させることによって、このような傾斜を矯正してスライドフィルム４１を光軸に対して正確に直交する姿勢に調整することが可能になる。
【００１９】
＜２＞或いは、送りネジのみをマウントキャリア本体２２の右辺と左辺の双方に設け、２つの送りネジどうしを同期的に回転させる伝動機構（互いに噛合した複数のギヤ、或いは、タイミングベルトとタイミングプーリによって実現できる）を２つの送りネジの間に設けることで、例えばマウントキャリア本体２２の右辺に設けた操作ダイヤルによって左右の送りネジを同時に回動操作するように構成しても良い。
【図面の簡単な説明】
【００２０】
【図１】記録媒体から画像データを取り込む画像入力ステーションを示す斜視図
【図２】マルチマスクキャリアと移動テーブル上のマウントキャリアを示す平面図
【図３】マルチマスクキャリアとマウントキャリアを示す斜視図
【図４】マウントキャリアを示す斜視図
【図５】マウントキャリアの破断正面図
【図６】マウントキャリアの操作ダイヤルの付近を示す平面図
【符号の説明】
【００２１】
１      画像入力ステーション
２      フィルムスキャナ部
３      光源部
４      フィルムキャリア装着部
５      ズームレンズユニット
６      ラインＣＣＤ
７      制御装置
１０    マルチマスクキャリア
１２    キャリア本体
１２ａ  光透過用スリット
１３    螺軸
１４    ステッピングモータ
１８    移動テーブル
２０    マウントキャリア
２２    マウントキャリア本体
２４    マウント台
２７ａ  雌ネジ部
２８ａ  案内孔
３０    第１ブラケット
３１    第２ブラケット
３３    送りネジ（変位操作機構）
３４    操作ダイヤル（変位操作機構）
３５    表示窓
４０    スライドマウント
【図１】
2005070291.tif 000003
【図２】
2005070291.tif 000004
【図３】
2005070291.tif 000005
【図４】
2005070291.tif 000006
【図５】
2005070291.tif 000007
【図６】
2005070291.tif 000008